(57)【要約】【課題】駆動源としての電池の消耗を少なくすることができる防犯装置を提供することを目的とする。【解決手段】電池３を駆動源とし、マグネットセンサ１の開閉動作に連動して警報音などを出力する防犯装置２において、通常、電池３からマイコン４への通電を制御するトランジスタＴＲ１はオフとされている。マグネットセンサ１が閉状態から開状態に移行すると、トランジスタＴＲ１がオンとなってマイコン４が起動する。マイコン４は、トランジスタＴＲ２を介してトランジスタＴＲ１をオンに維持し、一定時間後、トランジスタＴＲ１をオフとして、電池３の通電を遮断する。【選択図】図１
2007213308.tif 000002
【特許請求の範囲】
【請求項１】
外部に情報を報知する報知手段と、
電池と、
外部に接続されたスイッチ型センサの開閉動作を検出するセンサ検出手段と、
前記電池を電源として動作し、前記スイッチ型センサの開閉動作に応じて前記報知手段を制御する主制御手段と、を備えた防犯装置において、
前記電池と前記主制御手段との間の通電を制御する通電制御手段と、
前記センサ検出手段により前記開閉動作が検出されたとき、前記通電制御手段を介して前記電池を通電状態に保持する通電保持手段と、
前記開閉動作に起因して前記通電保持手段が前記通電状態の保持を開始してから所定の時間が経過したとき、前記通電状態の保持を解除して前記通電を遮断する通電保持解除手段と、を備えた
ことを特徴とする防犯装置。
【請求項２】
前記通電保持解除手段は、前記通電状態の保持を解除するための通電解除スイッチを有する
ことを特徴とする請求項１に記載の防犯装置。
【請求項３】
前記通電制御手段を介して前記電池を通電状態にするための通電スイッチを有する
ことを特徴とする請求項１または請求項２に記載の防犯装置。
【請求項４】
前記電池の電圧を検出するための電池電圧検出手段を更に備え、
前記電池の電圧が所定の閾値電圧以下となったとき、前記通電制御手段を介して前記電池は通電状態とされる
ことを特徴とする請求項１〜請求項３の何れかに記載の防犯装置。
【請求項５】
前記電池の電圧が前記閾値電圧以下となったとき、前記主制御手段は、前記報知手段を動作させる
ことを特徴とする請求項４に記載の防犯装置。
【請求項６】
前記電池の電圧が前記閾値電圧以下となったことに起因して前記主制御手段が前記報知手段を動作させている状態において、外部から所定の操作を受けたとき、前記電池の通電は遮断される
ことを特徴とする請求項５に記載の防犯装置。
【請求項７】
前記報知手段は、外部の通信機器との通信を可能とする通信手段を備え、
前記電池の電圧が前記閾値電圧以下となったとき、前記主制御手段は、前記通信手段に所定の信号を前記外部の通信機器に対して送信させ、
前記通信手段が前記外部の通信機器から前記信号に対する応答信号を受信したとき、前記電池の通電は遮断される
ことを特徴とする請求項５に記載の防犯装置。
【発明の詳細な説明】
【技術分野】
【０００１】
本発明は、電池を駆動源とする防犯装置に関する。
【背景技術】
【０００２】
従来より、電池を駆動源とした防犯装置が提案されている。この種の防犯装置では、常時、電池を通電状態にしてことが一般的である。
【０００３】
下記特許文献１に記載の防犯装置では、マグネットセンサの磁性体に反応するスイッチを本体に内蔵して、電池の通電のオン／オフ制御を行っている。
【０００４】
【特許文献１】特開平８−３０５９６７号公報
【発明の開示】
【発明が解決しようとする課題】
【０００５】
常時、電池を通電させると電池の消耗が早くなり、不経済であると共にユーザに頻繁な電池交換を強いる、といった問題がある。
【０００６】
尚、マグネットセンサの作動に連動して警報音の放音や警備会社等への通報を行うように防犯装置を構成した場合、マグネットセンサの作動のたびに、警報音の放音などを行ってしまうと不便である。このため、一般的には、防犯装置の動作モードとして、マグネットセンサの作動の検知を行う「警備モード」と該検知を解除する「警備解除モード」が設けられている。ユーザである家人が外出している際などに、「警備モード」は選択される。
【０００７】
本発明は、上記の点に鑑み、駆動源としての電池の消耗を少なくすることができる防犯装置を提供することを目的とする。
【課題を解決するための手段】
【０００８】
上記目的を達成するために本発明に係る防犯装置は、外部に情報を報知する報知手段と、電池と、外部に接続されたスイッチ型センサの開閉動作を検出するセンサ検出手段と、前記電池を電源として動作し、前記スイッチ型センサの開閉動作に応じて前記報知手段を制御する主制御手段と、を備えた防犯装置において、前記電池と前記主制御手段との間の通電を制御する通電制御手段と、前記センサ検出手段により前記開閉動作が検出されたとき、前記通電制御手段を介して前記電池を通電状態に保持する通電保持手段と、前記開閉動作に起因して前記通電保持手段が前記通電状態の保持を開始してから所定の時間が経過したとき、前記通電状態の保持を解除して前記通電を遮断する通電保持解除手段と、を備えたことを特徴とする。
【０００９】
これにより、スイッチ型センサの開閉動作に連動して電池が通電状態となるが、所定の時間が経過すると、自動的に該通電状態は解除される。このため、電池の消耗が軽減される。
【００１０】
また例えば、前記通電保持解除手段は、前記通電状態の保持を解除するための通電解除スイッチを有する。
【００１１】
これにより、ユーザの操作により電池の通電を停止することが可能となる。
【００１２】
また例えば、前記通電制御手段を介して前記電池を通電状態にするための通電スイッチを有する。
【００１３】
これにより、ユーザの操作により、電池を通電させて不審者の侵入などを検出するための「警備モード」に移行させることも可能となる。
【００１４】
また例えば、前記電池の電圧を検出するための電池電圧検出手段を更に備え、前記電池の電圧が所定の閾値電圧以下となったとき、前記通電制御手段を介して前記電池は通電状態とされる。
【００１５】
電池電圧が低下した場合に電池と主制御手段との間を通電状態とすることにより、電池電圧の低下を主制御手段に認識させることが可能となる。
【００１６】
そして例えば、前記電池の電圧が前記閾値電圧以下となったとき、前記主制御手段は、前記報知手段を動作させる。
【００１７】
電池電圧が低下した場合に報知手段を動作させることにより、電池電圧の低下をユーザや警備会社等に知らせることが可能となる。この結果、電池電圧低下に起因する防犯装置の不安定動作を未然に回避するといったことが可能となる。
【００１８】
また例えば、前記電池の電圧が前記閾値電圧以下となったことに起因して前記主制御手段が前記報知手段を動作させている状態において、外部から所定の操作を受けたとき、前記電池の通電は遮断される。
【００１９】
これにより、例えば、電池電圧低下に応じた報知を受けてユーザが上記操作を行うと、電池の通電は遮断される。この結果、電池電圧低下に起因する防犯装置の不安定動作が未然に回避される。
【００２０】
また例えば、前記報知手段は、外部の通信機器との通信を可能とする通信手段を備え、  前記電池の電圧が前記閾値電圧以下となったとき、前記主制御手段は、前記通信手段に所定の信号を前記外部の通信機器に対して送信させ、前記通信手段が前記外部の通信機器から前記信号に対する応答信号を受信したとき、前記電池の通電は遮断される。
【００２１】
これにより、電池電圧低下に応じた送信動作を行った後に、それに対応する応答信号を受信した際、電池の通電は遮断される。この結果、電池電圧低下に起因する防犯装置の不安定動作が未然に回避される。
【発明の効果】
【００２２】
上述した通り、本発明に係る防犯装置によれば、駆動源としての電池の消耗を少なくすることができる
【発明を実施するための最良の形態】
【００２３】
以下、本発明の実施の形態につき、図面を参照して具体的に説明する。図１は、本発明の実施の形態に係る防犯装置２の回路構成図である。
【００２４】
図１において、１は、マグネットセンサである。マグネットセンサ１は、窓や扉等の屋内の開口部に設置される。この開口部は、不審者の侵入口になりうる。以下、この開口部が開閉自在の窓５０であるとして説明する（図２参照）。窓５０が開くと不審者が屋内に進入可能な状態になる。
【００２５】
マグネットセンサ１は、永久磁石等の磁石（不図示）と接点部１ａから構成される。例えば、その磁石は、窓５０の端面に取り付けられ、接点部１ａが窓枠に取り付けられる。接点部１ａは、窓５０に取り付けられた磁石との距離に応じて、磁力により開閉する接点（スイッチ）である。窓５０が開くと接点部１ａが開き、窓５０が閉まると接点部１ａは閉じる。
【００２６】
マグネットセンサ１は、センサ接続端子１３及び１４を介して防犯装置２に取り付けられる。図１に示されたマグネットセンサ１以外の各素子は、全て防犯装置２の構成要素である。尚、マグネットセンサ１も防犯装置２の構成要素と捉えることも可能である。
【００２７】
防犯装置２は、電源としての電池３、マイクロコンピュータ４（以下、マイコン４と略記する）、電源３の電圧（出力電圧）を検出するための電池電圧検出回路５、マイコン４のポートＰ６からの出力信号に基づいて音声信号を合成する音声合成部６、音声合成部６にて合成された音声信号を増幅する音声アンプ７、音声アンプ７によって増幅された音声信号を音声として出力するスピーカ８、並びに、マイコン４のポートＰ７に接続され、外部の通信機器（不図示）との間で無線通信を行うための無線通信回路９及びアンテナ１０、を備える。
【００２８】
マイコン４は、タイマ（不図示）を備え、該タイマにより計時機能を実現する。つまり、マイコン４は、そのタイマを用いて任意の期間の長さを計測することが可能である。また、「音声合成部６、音声アンプ７及びスピーカ８から成る音声報知手段」または「無線通信回路９及びアンテナ１０から成る通信手段（通報手段）」は、防犯装置２の外部（周囲の人間、不審者、警備会社等）に所定の情報を報知する報知手段として機能する。
【００２９】
まず、防犯装置２内の回路構成や各素子の接続関係について説明する。マイコン４は、電源電圧の供給を受けるための電源電圧入力端子Ｖｉｎと、７つのポートＰ１〜Ｐ７を備えている。本実施形態において、ポートＰ１及びＰ６は信号出力端子（電圧出力端子）として機能し、ポートＰ２〜Ｐ５は信号入力端子（電圧入力端子）として機能する。ポートＰ７は、信号入出力端子として機能する。
【００３０】
電源電圧入力端子Ｖｉｎは、電源電圧ラインＶｃｃに接続されている。マイコン４、並びに、音声合成部６、音声アンプ７及び無線通信回路９は、０Ｖの基準電位に保たれたグランドラインＧＮＤと電源電圧ラインＶｃｃとの間の電圧を電源電圧として受けて動作する。
【００３１】
また、防犯装置２は、設定用スイッチ（警備設定用スイッチ）ＳＷ１と解除用スイッチＳＷ２を備えている。設定用スイッチＳＷ１と解除用スイッチＳＷ２は、それぞれ、例えば、２つの端子を有する押しボタンスイッチからなり、防犯装置２のユーザは各スイッチのオン及びオフを操作可能となっている。設定用スイッチＳＷ１における２つの端子間は、オンの時に導通し、オフの時に絶縁される。解除用スイッチＳＷ２における２つの端子間も、オンの時に導通し、オフの時に絶縁される。マイコン４は、設定用スイッチＳＷ１のオンまたはオフをポートＰ３の電位に基づいて検出し、解除用スイッチＳＷ２のオンまたはオフをポートＰ４の電位に基づいて検出する。
【００３２】
防犯装置２は、更に、通電制御用の抵抗内蔵トランジスタ（デジタルトランジスタ）１１と、抵抗内蔵トランジスタ１２を備えている。
【００３３】
抵抗内蔵トランジスタ１１は、ＰＮＰ型のバイポーラトランジスタＴＲ１（以下、単にトランジスタＴＲ１という）と、抵抗Ｒ１１及びＲ１２とから成る。トランジスタＴＲ１において、エミッタとベースは抵抗Ｒ１１を介して接続され、ベースは抵抗Ｒ１２を介してノードＮAに接続されている。また、トランジスタＴＲ１のコレクタは電源電圧ラインＶｃｃに接続されている。
【００３４】
抵抗内蔵トランジスタ１２は、ＮＰＮ型のバイポーラトランジスタＴＲ２（以下、単にトランジスタＴＲ２という）と、抵抗Ｒ１３及びＲ１４とから成る。トランジスタＴＲ２において、エミッタとベースは抵抗Ｒ１３を介して接続され、ベースは抵抗Ｒ１４を介してポートＰ１に接続されている。また、トランジスタＴＲ２において、コレクタはノードＮAに接続され、エミッタはグランドラインＧＮＤに接続されている。
【００３５】
電池３の陰極は、グランドラインＧＮＤに接続されている。電池３の正極は、センサ接続端子１３を介してマグネットセンサ１の接点部１ａの一端に接続されている。接点部１ａの他端はセンサ接続端子１４に接続されており、センサ接続端子１４は抵抗Ｒ１の一端とダイオードＤ３のカソードに接続されている。抵抗Ｒ１の他端は、抵抗Ｒ２を介してグランドラインＧＮＤに接続されている。このように、電池３の陽極は、マグネットセンサ１の接点部１ａを経由して、電池３の消耗を少なくするための高抵抗値を有する抵抗Ｒ１及びＲ２を介してグランドラインＧＮＤに接続されている。また、抵抗Ｒ１とＲ２との接続点は、コンデンサＣ１の一端に接続されている。コンデンサＣ１の他端は、ノードＮAに接続されている。
【００３６】
また、電池３の正極は、トランジスタＴＲ１のエミッタに接続されていると共に、抵抗Ｒ３を介してダイオードＤ５のアノードとコンデンサＣ２の一端に接続されている。コンデンサＣ２の他端はノードＮAに接続されている。
【００３７】
ポートＰ２は、プルアップ用の抵抗Ｒ５を介して電源電圧ラインＶｃｃに接続されていると共にダイオードＤ３のアノードに接続されている。ポートＰ３は、プルアップ用の抵抗Ｒ６を介して電源電圧ラインＶｃｃに接続されていると共にダイオードＤ４のアノードに接続されている。ダイオードＤ４のカソードは、設定用スイッチＳＷ１を介してグランドラインＧＮＤに接続されていると共にダイオードＤ２のカソードに接続されている。ダイオードＤ２のアノードはノードＮAに接続されている。
【００３８】
ポートＰ４は、プルアップ用の抵抗Ｒ７を介して電源電圧ラインＶｃｃに接続されていると共に解除用スイッチＳＷ２を介してグランドラインＧＮＤに接続されている。ポートＰ５は、プルアップ用の抵抗Ｒ４を介して電源電圧ラインＶｃｃに接続されていると共にダイオードＤ１のアノードに接続されている。ダイオードＤ１のカソードは、電池電圧検出回路５の出力端子１５とダイオードＤ５のカソードに共通接続されている。ポートＰ６は音声合成部６に接続され、ポートＰ７は無線通信回路９に接続されている。
【００３９】
次に、図３及び図４のタイミングチャートを参照して、防犯装置２の動作を説明する。尚、抵抗Ｒ３とコンデンサＣ２との接続点をノードＮBと呼ぶ。
【００４０】
図３は、上から、電源電圧ラインＶｃｃの電位、マグネットセンサ１の接点部１ａの開閉状態、ノードＮAの電位、トランジスタＴＲ１のオン／オフ状態、ポートＰ１の電位、設定用スイッチＳＷ１のオン／オフ状態、及び、解除用スイッチＳＷ２のオン／オフ状態を表している。
【００４１】
図４は、上から、電源電圧ラインＶｃｃの電位、マグネットセンサ１の接点部１ａの開閉状態、ノードＮBの電位、トランジスタＴＲ１のオン／オフ状態、ポートＰ１の電位、解除用スイッチＳＷ２のオン／オフ状態、ポートＰ６からの出力信号に基づくスピーカ８の音声出力状態、及び、ポートＰ７を介した通信信号の入出力状態を表している。
【００４２】
以下、マグネットセンサ１の接点部１ａが閉じている状態及び開いている状態を、それぞれ、単に「閉」及び「開」と表記する。
【００４３】
また、ノードＮAの電位（或いは電圧）やマイコン４の各ポートの電位（或いは電圧）等を議論する場合において、比較的高い電位(或いは電圧)を「Ｈｉ」と記し、比較的低い電位（或いは電圧）を「Ｌｏ」と記す。「Ｈｉ」は、電池３の出力電圧の電位と同程度の電位である。電池３の出力電圧が５Ｖ（ボルト）の場合、「Ｈｉ」は３〜５Ｖ（ボルト）程度の電位を意味し、「Ｌｏ」は０〜１Ｖ程度の電位を意味する。このように、「Ｈｉ」で表される電位は「Ｌｏ」で表される電位よりも高くなっている。
【００４４】
防犯装置２の動作モードには、窓５０からの不審者侵入の警備を行う警備モードと、その警備を行わない警備解除モードと、がある。以下、特に記述しない限り、警備モードにおける防犯装置２の動作について説明を行う。
【００４５】
まず、図３の期間Ｐ１の動作について説明する。期間Ｐ１において、設定用スイッチＳＷ１及び解除用スイッチＳＷ２は、オフに保たれている。
【００４６】
警備モード（及び警備解除モード）において、マグネットセンサ１の接点部１ａが「閉」に維持されている場合、ノードＮAの電位は「Ｈｉ」となって、トランジスタＴＲ１はオフに保たれる。不審者が窓５０を開いたことに起因してマグネットセンサ１の接点部１ａが「閉」から「開」に変化すると、抵抗Ｒ２とコンデンサＣ１の時定数にて定まる時間だけノードＮAの電位が「Ｌｏ」となり、トランジスタＴＲ１がオンとなる。これによって、電源電圧ラインＶｃｃの電圧が電池３の出力電圧と（略）等しくなり、電池３からマイコン４に電源電圧が供給される。
【００４７】
電池３からの電源電圧の供給を受けると、ノードＮAの電位が「Ｈｉ」に戻るまえに、マイコン４はポートＰ１から「Ｈｉ」の電位を出力してトランジスタＴＲ２をオンとし、トランジスタＴＲ１のオンを保持する。このとき、マグネットセンサ１の接点部１ａが「開」から「閉」に変化しても、トランジスタＴＲ１のオン状態は保持され、電池３からマイコン４への電源電圧の供給は維持される。
【００４８】
ポートＰ１から「Ｈｉ」の電圧を出力してから一定時間（例えば、５分）が経過すると、マイコン４はポートＰ１の出力電圧を「Ｈｉ」から「Ｌｏ」に切り替える。これによって、トランジスタＴＲ２のオフを介してトランジスタＴＲ１がオフとなり、マイコン４に対する電池３からの電源電圧の供給は遮断される。この後、再度マグネットセンサ１の接点部１ａが「閉」から「開」に変化すると、上記と同じ動作を介して、電源３からマイコン４に電源電圧が再度供給される。
【００４９】
接点部１ａが「閉」となっている状態では、ポートＰ２の電位は電源電圧ラインＶｃｃの電位と等しく、接点部１ａが「開」となっている状態では、ポートＰ２の電位は電源電圧ラインＶｃｃの電位よりも低くなっている。具体的には、接点部１ａが「開」となっている状態では、ポートＰ２の電位ＶP2は、下記式（１）によって表される。式（１）において、ｒ１、ｒ２及びｒ５は、それぞれ、図１の抵抗Ｒ１、Ｒ２及びＲ５の抵抗値を表し、Ｖｃｃは、電源電圧ラインＶｃｃの電圧を表し、ＶｄはダイオードＤ３の順方向電圧を表している。
ＶP2＝｛（ｒ１＋ｒ２）／（ｒ１＋ｒ２＋ｒ５）｝×（Ｖｃｃ−Ｖｄ）＋Ｖｄ
・・・（１）
【００５０】
マイコン４は、ポートＰ２の電位をデジタル値に変換するアナログ／デジタル変換回路（不図示）を備えている。電池３からマイコン４に電源電圧が供給されている際、マイコン４は、そのアナログ／デジタル変換回路（不図示）を用いつつ、接点部１ａの「開」状態と「閉」状態との間のポートＰ２の電位差に基づいてマグネットセンサ１の接点部１ａの開閉状態を判断する。
【００５１】
マイコン４は、接点部１ａが「開」であると判断した場合、ポートＰ６から所定の警報信号を音声合成部６に出力すると共に、ポートＰ７から所定の進入通報信号を無線通信回路９に出力する（勿論ではあるが、これらの出力は上記一定時間が経過する前に行われる）。
【００５２】
音声合成部６は、上記警報信号から音声信号を生成し、その音声信号を音声アンプ７を介してスピーカ８に供給する。スピーカ８は、その音声信号に応じた音声を警報音として放音する。無線通信回路９は、上記進入通報信号を、アンテナ１０を介して無線にて、警備会社等に備えられた通信機器（不図示）に送信する。
【００５３】
上記の如く、ポートＰ１から「Ｈｉ」の電圧を出力してから一定時間が経過した時点で、マイコン４と電池３との間の通電状態の保持を解除してマイコン４と電池３との通電を遮断することにより、電池３の消耗が削減される。尚、通電を遮断する前の一定時間内に警報音の放音と進入通報信号の送信及び応答信号の受信とを実施するため、上記通電の遮断を行っても問題は生じない。現在の防犯システムの多くにおいても、警報音の出力は一定時間経過後に停止される。警報音の出力は侵入者に対する威嚇を主たる目的としており、長時間出力すると侵入者が防犯機器を破壊するおそれもあるからである。
【００５４】
また、警備会社等に備えられた通信機器から、上記進入通報信号に対する所定の応答信号を受信した場合、マイコン４がポートＰ１の出力電圧を「Ｈｉ」から「Ｌｏ」に切り替えるようにしてもよい。これにより、トランジスタＴＲ２及びＴＲ１のオフを介して電池３とマイコン４との通電が遮断され、電池３の消耗が削減される。
【００５５】
また、上記警報音の放音を聞いたユーザ等が解除用スイッチＳＷ２を操作して解除用スイッチＳＷ２をオンとすることによっても、ポートＰ１の出力電圧が「Ｈｉ」から「Ｌｏ」に切り替わるようにしてもよい。
【００５６】
尚、電池３とマイコン４との間の通電を制御する通電制御手段は、主として抵抗内蔵トランジスタ１１から構成される。また、上記通電制御手段を介して電池３とマイコン４との間の通電状態を保持する通電保持手段及び上記一定時間経過後に、その通電状態の保持を解除してマイコン４と電池３との通電を遮断する通電保持解除手段は、主として抵抗内蔵トランジスタ１２とマイコン４から構成される。
【００５７】
また、マグネットセンサ１の開閉動作（上記例では、接点部１ａの「閉」から「開」への変化）に応じて、スピーカ８による放音及び無線通信回路９による送信動作を制御する主制御手段は、主としてマイコン４から構成される。また、マグネットセンサ１の接点部１ａの開閉動作（オン／オフ動作）を検出するセンサ検出手段は、主として抵抗Ｒ１、Ｒ２、ダイオードＤ３及びコンデンサＣ１から構成される。
【００５８】
次に、図３の期間Ｐ２を参照する。ポートＰ１の電位が「Ｈｉ」となっていることに起因してトランジスタＴＲ１がオンに保持されている最中に、解除用スイッチＳＷ２をオンすると、抵抗Ｒ７での電圧降下により、ポートＰ４の電位は「Ｈｉ」から「Ｌｏ」に切り替わる。この切り替わりを受けると、マイコン４は、上記一定時間の経過を待つことなく、ポートＰ１の出力電位を「Ｈｉ」から「Ｌｏ」に切り替える。これにより、トランジスタＴＲ１がオフとなり、電池３の通電は停止される。このように、通電解除スイッチとして機能する解除用スイッチＳＷ２を操作することにより、ユーザは電池３の通電を自由に停止することができる。
【００５９】
次に、図３の期間Ｐ３を参照する。期間Ｐ３では、接点部１ａが「閉」に維持されており、当初、トランジスタＴＲ１はオフとなっている。トランジスタＴＲ１がオフとなっている状態において、設定用スイッチＳＷ１をオンにすると、ダイオードＤ２を通じてトランジスタＴＲ１のベース電位が「Ｌｏ」となってトランジスタＴＲ１が（一時的に）オンする。このトランジスタＴＲ１のオンにより電池３からマイコン４に電源電圧が供給されると、マイコン４はポートＰ１から「Ｈｉ」の電位を出力する。これにより、トランジスタＴＲ２がオンとなり、設定用スイッチＳＷ１のオンまたはオフに拘らず、トランジスタＴＲ１のオン状態が保持されてマイコン４が動作可能となる。
【００６０】
マイコン４に電池３からの電源電圧が供給されている状態において、設定用スイッチＳＷ１のオンに起因してポートＰ３の電位がダイオードＤ４を通じて「Ｌｏ」となると、防犯装置２の動作モードが「警備モード」となる（防犯装置２の動作モードが「警備解除モード」であったなら「警備モード」に移行する）。
【００６１】
設定用スイッチＳＷ１のオンに起因したポートＰ１からの「Ｈｉ」の電位の出力は、図３の期間Ｐ３に示す如く、解除用スイッチＳＷ２がオンとなるまで保持される。逆に言えば、解除用スイッチＳＷ２がオンとされると、ポートＰ１の出力電位が「Ｈｉ」から「Ｌｏ」に切り替わり、トランジスタＴＲ１がオフとなってマイコン４への電源電圧供給は遮断される。
【００６２】
このように、通電スイッチとしても機能する設定用スイッチＳＷ１を用いることにより、ユーザは任意にマイコン４を起動させることができ、また、防犯装置２の動作モードを任意のタイミングで警備モードに移行させることが可能となる。
【００６３】
尚、解除用スイッチＳＷ２がオンとされると、防犯装置２の動作モードは警備解除モードに移り、警備解除モードでの動作は、例えば、設定用スイッチＳＷ１がオンとされるまで継続する。警備解除モードにおいては、マグネットセンサ１の接点部１ａがオンからオフへ或いはオフからオンへ切り替わったとしても（即ち、窓５０が開閉しても）、スピーカ８による上記警報音の放音や、無線通信回路９による上記進入通報信号の送信は、行われない。
【００６４】
次に、図４を参照する。電池電圧検出回路５は、逐次、電池３の出力電圧を検出しており、電池３の電圧低下を検出すると、出力端子１５の出力電位を「Ｈｉ」から「Ｌｏ」に切り替える。より具体的には、電池電圧検出回路５は、電池３の出力電圧が予め定められた閾値電圧よりも高い場合には、出力端子１５から「Ｈｉ」の電位を出力する。そして、電池３の出力電圧が減少してきて、検出された電池３の出力電圧が上記閾値電圧以下となったとき（或いは閾値電圧未満となったとき）、出力端子１５の出力電位を「Ｈｉ」から「Ｌｏ」に切り替える。
【００６５】
出力端子１５の出力電位が「Ｈｉ」から「Ｌｏ」に切り替わると、ダイオードＤ５を経由して抵抗Ｒ３とコンデンサＣ２の時定数にて定まる時間だけトランジスタＴＲ１のベース電位が「Ｌｏ」となって、トランジスタＴＲ１がオンとなる。これによってマイコン４に電源電圧が供給されると、マイコン４は、ノードＮBの電位が「Ｈｉ」に戻る前に、ポートＰ１から「Ｈｉ」の電位を出力する。この結果、トランジスタＴＲ２を経由してトランジスタＴＲ１のオン状態が保持され、電池３とマイコン４との通電状態が保持される。
【００６６】
続いて、マイコン４は、ダイオードＤ１を経由して、電池電圧検出回路５の出力端子１５の電位をポートＰ５にて検出する。そして、ポートＰ５の電位が「Ｌｏ」であれば、電池３の出力電圧が上記閾値電圧以下となった、即ち、電池３が切れた（以下、「電池切れ」という）と判断する。
【００６７】
電池切れを検出すると、マイコン４は、ポートＰ６及びＰ７から電池切れを報知するための信号を音声合成部６及び無線通信回路９に出力することにより、報知手段として機能する、スピーカ８等から成る上記音声報知手段または無線通信回路９等から成る上記通信手段（通報手段）を動作させる。
【００６８】
具体的には、電池切れを報知するための信号を受けた音声合成部６は、電池切れを外部に報知するための音声信号を生成し、その音声信号を音声アンプ７を介してスピーカ８に供給する。スピーカ８は、その音声信号に応じた音声（電池切れを報知するための音声）を、所定の期間、放音する。電池切れを報知するための信号を受けた無線通信回路９は、電池切れを警備会社等に備えられた通信機器（不図示）に通報するための信号を、アンテナ１０を介して無線送信する。
【００６９】
警備会社等に備えられた通信機器（不図示）は、電池切れに関する上記信号の受信を確認すると、所定の電池切れ応答信号を防犯装置２に対して送信する。防犯装置２が、この電池切れ応答信号をアンテナ１０を介して受信すると、マイコン４は、電池切れを正常に通報できたと判断してポートＰ１の出力電圧を「Ｈｉ」から「Ｌｏ」に切り替える。これにより、トランジスタＴＲ２及びＴＲ１のオフを介して電池３とマイコン４との通電が遮断され、電池電圧低下に起因して防犯装置２が不安定な状態で動作し続けるといったことが回避される。
【００７０】
また、スピーカ８からの電池切れを報知するための音声を聞いたユーザ等が解除用スイッチＳＷ２を操作して解除用スイッチＳＷ２をオンとすることによっても、ポートＰ１の出力電圧は「Ｈｉ」から「Ｌｏ」に切り替えられ、電池３とマイコン４との通電は遮断される。
【００７１】
＜＜変形等＞＞
尚、最初から窓５０が開いている状態は、ユーザが在宅している状態に対応しており、そのような時に防犯装置２が通電されていても（マイコン４に電源電圧が供給されていても）、無駄に電池が消耗するだけである。ユーザによって窓５０が閉められている時や設定用スイッチＳＷ１が操作された時など、防犯装置２の動作モードが警備モードになっている時に、防犯装置２は電池３からの通電を必要とする。
【００７２】
また、防犯装置２に取り付けられるセンサはマグネットセンサ１に限定されない。窓５０等の開口部の開閉動作に連動して開閉（導通または絶縁）する接点部（スイッチ）を有した任意のスイッチ型センサを、防犯装置２に取り付けられるセンサとして、マグネットセンサ１の代わりに採用することが可能である。上記スイッチ型センサの上記接点部は、マグネットセンサ１における接点部１ａと同様、センサ接続端子１３と１４の間に接続される。
【００７３】
また、上記の実施形態では、スイッチ型センサとして、窓５０が開くと接点部１ａが開き、窓５０が閉まると接点部１ａが閉じるマグネットセンサ１を採用しているが、これとは逆に、窓５０が開くと接点部が閉じ、窓５０が閉まると接点部が開くスイッチ型センサ（マグネットセンサなど）を採用するようにしても構わない。この場合、上述してきた防犯装置の動作が確保されるよう、周知の技術手段を用いて防犯装置内の回路構成は変形されうる。
【図面の簡単な説明】
【００７４】
【図１】本発明の実施の形態に係る防犯装置の回路構成図である
【図２】図１のマグネットセンサが窓に取り付けられている様子を表す図である。
【図３】図１の防犯装置の動作を説明するためのタイミングチャートである。
【図４】図１の防犯装置の動作を説明するためのタイミングチャートである。
【符号の説明】
【００７５】
１  マグネットセンサ
１ａ  接点部
２  防犯装置
３  電池
４  マイクロコンピュータ
５  電池電圧検出回路
６  音声合成部
７  音声アンプ
８  スピーカ
９  無線通信回路
１０  アンテナ
１１、１２  抵抗内蔵トランジスタ
１３、１４  センサ接続端子
１５  出力端子
ＴＲ１、ＴＲ２  トランジスタ
ＳＷ１  設定用スイッチ
ＳＷ２  解除用スイッチ
Ｐ１〜Ｐ７  ポート
【図１】
2007213308.tif 000003
【図２】
2007213308.tif 000004
【図３】
2007213308.tif 000005
【図４】
2007213308.tif 000006